(57)【要約】【課題】容器にポンプ受け体を取着することによって、詰め替えの安定性が増すようにしたディスペンサー付き容器を提供すること。【解決手段】容器と、下端に吸上げパイプを垂設したポンプと、容器口部に取着されたポンプ受け体とからなるディスペンサー付き容器であって、ポンプ受け体は、容器口部に取着される取付筒と保持筒とを具備しており、保持筒の下端に、先端を吸上げパイプの嵌挿部とした保持杆が連設され、保持杆の間が流通孔となっていることを特徴とする。【選択図】        図１
2004292034.tif 000002
【特許請求の範囲】
【請求項１】
容器と、下端に吸上げパイプを垂設したポンプと、容器口部に取着されたポンプ受け体とからなるディスペンサー付き容器であって、
ポンプ受け体は、容器口部に取着される取付筒と保持筒とを具備しており、
保持筒の下端に、先端を吸上げパイプの嵌挿部とした保持杆が連設され、保持杆の間が流通孔となっていることを特徴とするディスペンサー付き容器。
【請求項２】
容器と、下端に吸上げパイプを垂設したポンプと、容器口部に取着されたポンプ受け体とからなるディスペンサー付き容器であって、
ポンプ受け体は、取付筒と、該取付筒に連杆を介して連設された保持部とを具備しており、
保持部は、連杆に連設された外筒とポンプを保持する嵌挿筒とを具備し、前記連杆の間が流通孔となっていることを特徴とするディスペンサー付き容器。
【請求項３】
保持部が、外筒と、外筒に連設された円錐筒と、該円錐筒の上板に連設された吸上げパイプの嵌挿筒とからなり、上板と嵌挿筒を通じて複数のスリットが刻設されていることを特徴とする請求項２記載のディスペンサー付き容器。
【発明の詳細な説明】
【０００１】
【発明の属する技術分野】
本発明は、詰め替え作業が容易に行えるディスペンサー付き容器に関する。
【０００２】
【従来の技術】
ディスペンサー付き容器として、詰め替え作業が行えるディスペンサー容器は、従来より知られている（例えば、特許文献１参照。）。
【０００３】
【特許文献１】
特開２００３−１２００９（第４頁、第１図）
【０００４】
【発明が解決しようとする課題】
従来のディスペンサー付き容器は、容器内容液が無くなった際の補充に際して、ポンプシリンダー及び吸い上げパイプに付着した内容液が、容器の口部周辺を汚すという問題が生じるおそれもあった。
【０００５】
本発明は、上記問題を解決することを課題として、容器にポンプ受け体を取着することによって、詰め替えの安定性が増すようにしたディスペンサー付き容器を提供することを目的とする。
【０００６】
【課題を解決するための手段】
本発明は、上記の課題を解決するため、ディスペンサー付き容器として、容器と、下端に吸上げパイプを垂設したポンプと、容器口部に取着されたポンプ受け体とからなるディスペンサー付き容器であって、ポンプ受け体は、容器口部に取着される取付筒と保持筒とを具備しており、保持筒の下端に、先端を吸上げパイプの嵌挿部とした保持杆が連設され、保持杆の間が流通孔となっていることを特徴とする構成を採用する。
【０００７】
別実施態様として、容器と、下端に吸上げパイプを垂設したポンプと、容器口部に取着されたポンプ受け体とからなるディスペンサー付き容器であって、ポンプ受け体は、取付筒と、該取付筒に連杆を介して連設された保持部とを具備しており、保持部は、連杆に連設された外筒とポンプを保持する嵌挿筒とを具備し、前記連杆の間が流通孔となっていることを特徴とする構成を採用する。
【０００８】
上記嵌挿筒の実施例として、保持部が、外筒と、外筒に連設された円錐筒と、該円錐筒の上板に連設された吸上げパイプの嵌挿筒とからなり、上板と嵌挿筒を通じて複数のスリットが刻設されていることを特徴とする構成を採用する。
【０００９】
【発明の実施の形態】
以下、本発明の実施形態について図面を参照して説明する。
図１、２に示すように、Ａは容器、Ｂはポンプ、Ｃはポンプ受け体とから構成されている。
【００１０】
容器Ａは、本体１と容器口部２とからなり、容器口部２内側上端には取付部３が設けられ、ポンプ受け体Ｃが取着されており、容器口部２外側に取付キャップ４を介してポンプＢが取着されている。
【００１１】
ポンプＢのシリンダー部５には、吸上げパイプ６が取着され、図示されないピストン部上部には、ステム７が連設され、ステム７の上端には、ヘッド８が連設されている。
【００１２】
図２に示すように、ポンプ受け体Ｃは、取付筒１０と、該取付筒１０に連杆１１を介して連設された保持筒１２とを具えており、取付筒１０の上端は、円錐状に広がる支持筒１３と、その外周に立設された拡径筒１４とからなる取付部となっており、該取付部は、容器口部の取付部３に保持されるようになっている。
ポンプ受け体Ｃの取付部３への取着に際しては、拡径筒１４の天面が容器口部２天面よりも下方となっているので、取付キャップ４内面に設けられたパッキンが直接、容器口部２天面に密接してシール性を阻害することはない。
【００１３】
保持筒１２の下端には、先端を吸上げパイプ６の嵌挿部１５とした保持杆１６が連設されており、保持杆１６の間は流通孔１７となっている。
嵌挿部１５は、ポンプＢの吸上げパイプ６に一定の締め代をもって圧接保持するようになっており、ポンプＢを上下動させるときには、吸上げパイプ６は、嵌挿部１５に緊密に嵌合され、所望する位置に停止させることができる。
【００１４】
また、保持杆１６は、可撓性を有しているので、パイプ径のバラツキ等に対応でき、常に吸上げパイプ６を圧接保持するようになっている。
また、上記嵌挿部を薄肉の筒状としてもよい。
【００１５】
次に、本実施形態のディスペンサー付き容器の作用効果について説明する。
パウチ等の詰め替え容器から内容液を詰め替える場合には、図１に示すように、ポンプＢの取付キャップ４を廻し、上方に引き上げると吸上げパイプ６がポンプ受け体Ｃの嵌挿部１５により、ほぼ垂直状態に維持されたままで所望する位置に保つことができるので、ポンプシリンダー部５及び吸上げパイプ６に付着した内容液が、容器の周辺を汚すことない。
【００１６】
また、ポンプＢと、容器口部周縁との間が大きく開いているので、詰め替え時には、液をポンプ受け体Ｃの上方から容易に注入することができ、流通孔１７を通じて液が容器本体内に流入され、容器内に内容液を再充填することができる。
【００１７】
次に、パイプ受け体の別実施形態について説明する。
図３に示すように、パイプ受け体Ｃａは、取付筒２０と、該取付筒２０に連杆２１を介して連設された保持部２２とからなっている。
保持部２２は、外筒２３と、外筒２３の上端に連設された円錐筒２４と、該円錐筒２４の上板２５に連設された吸上げパイプ６の嵌挿筒２６とからなっている。
上板２５と嵌挿筒２６を通じて複数のスリット２７が刻設されており、隣り合うスリット２７の間は嵌挿部２８となっており、嵌挿部２８は円錐筒２４に対して可撓性が付与されている。
【００１８】
嵌挿部２８は、吸上げパイプ６を一定の締め代をもって緊密に嵌合するようになっており、可撓性を有しているので、パイプ径のバラツキ等に対応できるようになっている。
取付筒２０は、前実施形態と同様に取着され、連杆２１の間は流通孔２９となっている。
【００１９】
本実施形態のポンプ受け体Ｃａは、前実施形態のほぼ同一の作用効果を奏する。
【００２０】
また、前記各実施形態において、容器本体の形態はとくに限定されず、また、ディスペンサーは、内容液を吸上げパイプを通じて吐出する吐出ノズル、スプレー、トリガー式スプレー等、とくに限定されない。
また、吸上げパイプは、容器口部のほぼ中央に維持されていればよく、その長さ、径はとくに限定されない。
【００２１】
【発明の効果】
本発明は、上記のように構成されているから、次の効果を奏する。
容器内への内容液補充の時、ポンプを上方に引き上げた際、ポンプ受け体の保持部により、所望する位置に係止可能でポンプシリンダー、及び吸上げパイプに付着した内容液により容器の周辺を汚すことがない。
液体補充時において、ポンプが上方に支持されるので容器口部から容易に注入することができ、また、ポンプの置き場所に困ることがない。
【００２２】
また、ポンプ受け体のほぼ中央に在る嵌挿部の上方部に吸上げパイプを支持できるので、ポンプの上方が少し傾いても、付着した内容液により容器の周辺を汚染することがなくなった。
【図面の簡単な説明】
【図１】本発明の実施形態の容器内への液体補充時の状態をしめす説明図である。
【図２】実施形態に係るポンプ受け体の説明図で、（ａ）は縦断面図、（ｂ）は下面図である。
【図３】別実施形態に係るポンプ受け体の説明図で、（ａ）は縦断面図、（ｂ）は下面図である。
【符号の説明】
Ａ      容器
Ｂ      ポンプ
Ｃ、Ｃａ    ポンプ受け体
１      本体
２      容器口部
３      取付部
４      取付キャップ
５      シリンダー部
６      吸上げパイプ
７      ステム
８      ヘッド
１０、２０  取付筒
１１、２１  連杆
１２    保持筒
１３    支持筒
１４    拡径筒
１５    嵌挿部
１６    保持杆
１７    流通孔
２２    保持部
２３    外筒
２４    円錐筒
２５    上板
２６    嵌挿筒
２７    スリット
２８    嵌挿部
２９    流通孔
【図１】
2004292034.tif 000003
【図２】
2004292034.tif 000004
【図３】
2004292034.tif 000005